(57)【要約】【課題】事前に接続対象となる機器の絞り込みを可能にして、広告取得完了までの時間を大幅に短縮することができる広告配信システムを提供する。【解決手段】Ｂｌｕｅｔｏｏｔｈを用いた通信装置を搭載した機器同士による広告配信システムにおいて、広告主側に、Ｂｌｕｅｔｏｏｔｈモジュール１０２と、これを制御するＢｌｕｅｔｏｏｔｈコントローラ１０３と、サーバ機器１０１のデバイス名を設定記憶するデバイス名記憶装置１０４と、デバイス名をユーザが設定するためのデバイス名設定インターフェース１０５と、内部広告提供装置１０６と、外部広告提供装置１０７とを有するサーバ機器１０１を備え、広告を受ける側にＢｌｕｅｔｏｏｔｈモジュール２０２と、これを制御するＢｌｕｅｔｏｏｔｈコントローラ２０３と、取得広告内容設定装置２０４と、広告取得装置２０５とを有するクライアント機器２０１を備えたものである。【選択図】　　　図１
2004056386.tif 000002
【特許請求の範囲】
【請求項１】
Ｂｌｕｅｔｏｏｔｈ等を用いた通信サービスにアクセスする以前に、対象機器に対応した付加情報を得ることができる通信規格に従った通信装置を搭載した機器同士による広告配信システムにおいて、
広告主側の機器がサーバ機器として動作し、広告を受ける側の機器がクライアント機器として動作することを特徴とする広告配信システム。
【請求項２】
前記サーバ機器とクライアント機器の間で、互いに広告内容に応じたカテゴリーや付随情報を識別するための変換規則を有することを特徴とする請求項１に記載の広告配信システム。
【請求項３】
前記サーバ機器は、提供する広告内容に応じて定めた規則により対応するデバイス名等の付加情報を設定可能にしたことを特徴とする請求項２に記載の広告配信システム。
【請求項４】
前記サーバ機器は、広告を要求するクライアント機器に対して広告を提供できるように該サーバ機器内に広告内容を収納可能としたことを特徴とする請求項１乃至３のうちの何れか一項に記載の広告配信システム。
【請求項５】
前記サーバ機器は、広告を求めてきたクライアント機器に対して広告を提供できるように広告内容を格納した外部機器に接続し、広告内容を取得できるようにしたことを特徴とする請求項１乃至３のうちの何れか一項に記載の広告配信システム。
【請求項６】
前記クライアント機器は、取得しようとする広告内容に応じて使用者が設定を変更することが可能なインターフェースを備えることを特徴とする請求項１乃至５のうちの何れか一項に記載の広告配信システム。
【請求項７】
前記クライアント機器は、取得しようとする広告内容をその広告内容に応じて定めた規則により付加情報に変換する機能を有することを特徴とする請求項６に記載の広告配信システム。
【請求項８】
前記クライアント機器は、使用者が広告取得を求めた場合に周辺の機器の検索を行い、検索された機器に対し名前検索を行い、その結果を使用者により設定された設定値に従い付加情報に変換し、取得した機器の名前と比較し目的とする広告を提供しているデバイスを抽出する機能を有することを特徴とする請求項７に記載の広告配信システム。
【請求項９】
前記サーバ機器は、広告の格納方法が規則付けられ、
前記クライアント機器は、前記サーバ機器に接続した際に広告情報をその規則に従い取得する機能を有することを特徴とする請求項１に記載の広告配信システム。
【請求項１０】
前記クライアント機器は、抽出された広告を提供しているサーバ機器に対して順次接続し、前記サーバ機器の規則に従い広告情報の取得を行なうようにしたことを特徴とする請求項９に記載の広告配信システム。
【発明の詳細な説明】
【０００１】
【発明の属する技術分野】
本発明は、広告配信システムに関し、特に、携帯電話、ＰＨＳ、ＰＤＡ、ＰＣ等のＢｌｕｅｔｏｏｔｈ通信機能を搭載した機器とそれら機器に対し広告配信を行なう機器との間の通信手順、およびそれら機器に関するものである。
【０００２】
【従来の技術】
従来、携帯電話、ＰＨＳ、ＰＤＡ、ＰＣ等を用いて広告配信する場合、Ｂｌｕｅｔｏｏｔｈ等の通信技術を用いれば、広告を求める側の機器をサーバとして使用し、待ち受け状態にすることで広告を受信可能な状態にして、街頭などに設置された広告を提供する機器により、その周辺の広告を受信可能な機器を検索して広告を配信することは可能である。
【０００３】
【発明が解決しようとする課題】
しかしながら、上述した方式によると、広告を受ける側の機器が長時間待ち受け状態になるため、広告提供者以外からも接続を受けてしまう等の問題点がある。
【０００４】
そこで、上記問題点を解消するために、広告を受ける側から広告の提供者にアクセスする方式があるが、この場合には、周囲に発見されたデバイスの中に広告提供者以外のものも含まれるため、場合によっては相手が接続要求にこたえない場合も考えられ、全てに順に接続していくと非常に時間がかかるという問題点がある。
【０００５】
本発明は、上記従来の問題点に鑑みてなされたものであり、広告取得側が全てのデバイスに接続を試みることなく、事前に接続対象となる機器の絞り込みを可能にして、広告取得完了までの時間を大幅に短縮することができる広告配信システムを提供することを目的とする。
【０００６】
【課題を解決するための手段】
本発明は、広告配信システムに係り、Ｂｌｕｅｔｏｏｔｈ等を用いた通信装置を搭載した機器同士による広告配信システムにおいて、広告主側のＰＣ等の機器がサーバ機器として動作し、広告を受ける側の携帯電話等の機器がクライアント機器として動作することを特徴とするものである。
これにより、広告主側をサーバとして動作させ、広告を求める側をクライアントとして動作させることにより、サーバとして動作させる場合に起こる第三者からアクセスされてしまう問題を回避することができる。
【０００７】
また、本発明は、前記サーバ機器とクライアント機器の間で、互いに広告内容に応じたカテゴリーやとそれに対応する系統だった文字列等の付加情報との変換規則を有することが好ましい。
これにより、広告の内容を系統立てて分類し、クライアント・サーバ間で共通の変換方式を用意してやることで、クライアントがサーバに接続する前にサーバが提供する広告内容を大まかに知ることができる。
【０００８】
また、本発明は、前記サーバ機器を、提供する広告内容に応じて定めた規則により対応するデバイス名等の付加情報を設定可能にすることが好ましい。
これにより、クライアントが接続前に知ることができるサーバの付加情報を交換規則により変換された値を設定して文字列等により確認することができる。
【０００９】
また、本発明は、前記サーバ機器を、広告を要求するクライアント機器に対して広告を提供できるように該サーバ機器内に広告内容を収納可能としたり、前記サーバ機器を、広告を求めてきたクライアント機器に対して広告を提供できるように広告内容を格納した外部機器に接続し、広告内容を取得できるようにすることが好ましい。
これにより、サーバにおいて提供する広告本体を関連付けることができる。
【００１０】
また、本発明は、前記クライアント機器に、取得しようとする広告内容に応じて使用者が設定を変更することが可能なインターフェースを備えることが好ましい。
これにより、クライアント側機器で広告内容に応じてユーザが求める広告内容を設定することができる。
【００１１】
また、本発明は、前記クライアント機器に、取得しようとする広告内容をその広告内容に応じて定めた規則によりデバイス名等の付加情報に変換する機能を備えることが好ましい。
これにより、クライアント機器で広告内容に応じてユーザが求める広告内容を変換規則に従って変換することができる。
【００１２】
また、本発明は、前記クライアント機器に、使用者が広告を要求した場合に周辺の機器の検索を行い（Ｉｎｑｕｉｒｙ）、検索された機器に対し名前検索を行い（Ｎａｍｅ　Ｒｅｑｕｅｓｔ）、その結果を使用者により設定された設定値に従いデバイス名等の付加情報に変換し、取得した機器の名前と比較して目的とする広告を提供しているデバイスを抽出する機能を備えることが好ましい。
これにより、クライアント機器から機器検索、付加情報取得が行われ、取得しようとした広告内容を付加情報に変換したものと、取得された付加情報とを比較し、必要な広告を提供しているサーバをサーバに接続することなく抽出することができる。
【００１３】
また、本発明は、広告の格納方法が前記サーバ機器により規則付けられ、前記クライアント機器に、前記サーバ機器に接続した際に広告情報をその規則に従い取得する機能を備えることが好ましい。
これにより、クライアント・サーバ間で広告内容の格納方法を規定しクライアント機器がサーバ機器から広告を正しく取得することができる。
【００１４】
また、本発明は、前記クライアント機器を、抽出された広告を提供しているサーバ機器に対して順次接続し、前記サーバ機器の規則に従い広告情報の取得を行なうようにすることが好ましい。
これにより、検索し、抽出した機器に対し所定の規則に従い広告内容を順次取得することができる。
【００１５】
【発明の実施の形態】
以下、本発明の実施の形態について図面を参照して詳細に説明する。
図１〜図４は発明を実施する形態の一例であって、図１は本発明の実施形態に係る広告配信システムのサーバ側（広告提供側）機器のブロック図、図２は前記広告配信システムのクライアント側（広告取得側）機器のブロック図、図３は本実施形態の場面説明図、図４は前記広告配信システムおける周辺の機器の検索の手順を示す説明図である。
【００１６】
本実施形態は、図１、図２に示すように、Ｂｌｕｅｔｏｏｔｈを用いた通信装置を搭載した機器同士による広告配信システムであって、広告側（広告配信側）にサーバ機器１０１を備え、広告を受ける側（広告取得側）にクライアント機器２０１を備えたものである。
【００１７】
前記サーバ機器１０１は、図１に示すように、Ｂｌｕｅｔｏｏｔｈ通信を実現するＢｌｕｅｔｏｏｔｈモジュール１０２と、該Ｂｌｕｅｔｏｏｔｈモジュール１０２を制御するＢｌｕｅｔｏｏｔｈコントローラ１０３と、このサーバ機器１０１のデバイス名を設定記憶するデバイス名記憶装置１０４と、そのデバイス名をユーザが設定するための外部とのデバイス名設定インターフェース１０５と、サーバ機器１０１内部に広告内容を格納し、配信する内部広告提供装置１０６と、サーバ機器１０１外部に広告内容を格納し、配信する外部広告提供装置１０７を備えている。
【００１８】
尚、前記内部広告提供装置１０６と外部広告提供装置１０７とは、はいずれかが必須であり、また両方用意することも可能である。
【００１９】
前記クライアント機器２０１は、図２に示すように、Ｂｌｕｅｔｏｏｔｈ通信を実現するＢｌｕｅｔｏｏｔｈモジュール２０２と、該Ｂｌｕｅｔｏｏｔｈモジュール２０２を制御するＢｌｕｅｔｏｏｔｈコントローラ２０３と、目的の広告の種類を設定する取得広告内容設定装置２０４と、広告をサーバから取得し使用者に提示する広告取得装置２０５とを備えている。
【００２０】
前記取得広告内容設定装置２０４は、使用者に広告の種類を選択させるインターフェース２０４ａと、設定された広告の種類を機器の付加情報に変換する情報変換装置２０４ｂと、変換された付加情報を広告取得装置２０５へ伝える情報伝達装置２０４ｃを有している。
【００２１】
前記広告取得装置２０５は、前記取得広告内容設定装置２０４から伝えられた取得する広告の種類を含む付加情報を元に前記Ｂｌｕｅｔｏｏｔｈコントローラ２０３と通信し広告を取得する広告取得部２０５ａと、取得した広告を使用者へ提示する広告提示部２０５ｂとを有している。
【００２２】
ここで、Ｂｌｕｅｔｏｏｔｈを使用した通信の一例を以下に示す。
Ｂｌｕｅｔｏｏｔｈを使用した通信の動作ステップは、（１）機器検索、（２）名前検索、（３）リンク開設、（４）サービス検索、（５）サービスへ接続、と番号順に進められる。
通常は、（１）機器検索から（２）名前検索までのステップは相手機器が待ち受けてさえいれば実行可能であるが、（３）リンク開設は、相手機器の設定によっては自動的には受け入れられず、接続要求がタイムアウトするまで最大３０秒待たされてしまうことが有り得る。
【００２３】
Ｂｌｕｅｔｏｏｔｈ機器は、最大２４８バイトのデバイス名を設定することが可能である。本実施形態におけるＢｌｕｅｔｏｏｔｈ機器であるサーバ機器１０１は、図１に示すように、「デバイス名等の付加情報」を記憶する装置としてデバイス名記憶装置１０４を備え、「デバイス名等の付加情報」を使用者が設定するためのデバイス名設定インターフェース１０５を備えている。
【００２４】
また、本実施形態においては、広告を要求するクライアント機器２０１に対して広告を提供できるように、該サーバ機器１０１内に広告内容を収納可能とした内部広告提供装置１０６と、広告を求めてきたクライアント機器２０１に対して広告を提供できるように、広告内容を格納した外部機器に接続して広告内容を取得できるようにした外部広告提供装置１０７とが設けられている。
【００２５】
前記内部広告提供装置１０６と外部広告提供装置１０７とは、広告の内容を格納すると共に、接続してきたクライアントに対し広告を提供できる様にＢｌｕｅｔｏｏｔｈコントローラ１０３と通信する機能を有している。
【００２６】
前記サーバ機器１０１とクライアント機器２０１の間には、互いに広告内容に応じたカテゴリーや付随情報を識別するための変換規則が設けられている。
前記変換規則は、例えば、ある広告が飲食店に属するものであれば「広告：食事：店名」という文字列にし、また、電気店に属するものであれば「広告：電気店：店名」という文字列とするような規則である。
【００２７】
尚、その他の例として、付加情報部分にＸＭＬを埋め込んで情報を構造化して記述することも可能である。
【００２８】
本実施形態の広告配信システムに変換規則を備えることにより、広告を系統的に分類する同一の規則をサーバ側およびクライアント側で採用して、クライアントが要求する広告を確実に絞り込むことができる。
【００２９】
そして、上述した例はほんの一例であって、採用する通信規格によって機器に付けられる付加情報の長さ等も違うので、それによっても規則の作り方は変化させることは可能である。
【００３０】
次に、本実施形態の広告配信システムを用いた広告配信の手順について図面を参照して説明する。
まず、広告配信側のサーバ機器１０１の設定を行なうにあたり、例えば、ここで「店名Ａ」という飲食店が広告を配信する例を想定する。
広告配信システムのサーバ機器１０１とクライアント機器２０１との間に取り決められた交換規則を、例えば、「広告：［カテゴリー］：［店名］」と設定し、飲食店についてのカテゴリーを「食事」と決めると、この広告配信サーバに設定すべきデバイス名は「広告：食事：店名Ａ」となる。
【００３１】
ここで、図１に示すように、デバイス名が決定されるのでデバイス名設定インターフェース１０５を介してサーバ機器１０１にデバイス名を設定する。
【００３２】
次に、配信すべき広告をサーバ機器１０１とクライアント機器２０１との間で取り決めた形式で内部広告提供装置１０６あるいは外部広告提供装置１０７に格納する。
こうして、配信側の設定は完了し、以後広告要求に備え待ち受け状態に入る。
【００３３】
次に、広告取得側のクライアント機器２０１の設定について図面を参照して説明する。図３は本実施形態の広告配信システムが想定された場面説明図である。クライアント機器２０１の設定を行なうにあたり、例えば、図３に示すように、使用者の周辺には４つのＢｌｕｅｔｏｏｔｈ機器が存在する状況を想定する。
図中の符号３０１、３０２は本実施形態のサーバ機器１０１に相当する広告配信サーバＡ、広告配信サーバＢである。符号３０３は携帯電話、３０４はＰＤＡであって、前記サーバ機器以外のＢｌｕｅｔｏｏｔｈ機器である。
【００３４】
使用者は広告を検索する場合、図２に示すように、必要に応じて取得広告内容設定装置２０４を用いて取得する広告の種類を選択する。
ここでは、「電気店」を選択したとすると、その情報は取得広告内容設定装置２０４から広告取得装置２０５に伝達され、そこでサーバ機器１０１とクライアント機器２０１との間に取り決められた交換規則により「広告：電気店」という文字列が求める広告サーバに含まれるべきであることが判断される。
【００３５】
以上で、広告配信システムにおける広告取得のための準備は整う。
次に、広告配信システムおけて広告を取得する手順について図面を参照して説明する。図４は広告配信システムおける周辺の機器の検索の手順を示す説明図である。
【００３６】
広告配信システムにより周辺機器を検索する場合、図４に示すように、まず、周辺の機器の検索を実行し（Ｓ４０１）、そのレスポンスを受信する（Ｓ４０２）。この時点においてクライアント機器２０１は、周辺に存在する機器のアドレスが取得できている。
【００３７】
図３の想定場面に当てはめると、使用者の周辺に４台のＢｌｕｅｔｏｏｔｈ機器が存在することまでが分かっている。これらの取得したアドレスについて順次名前検索を実行し（Ｓ４０３）、そのレスポンスを受信する（Ｓ４０４）。この時点で使用者の周辺にある機器のアドレスと、設定してある機器名のリストが得られている。
【００３８】
そして、取得できた名前と「広告：電気店」という文字列を比較する判断を繰り返し行なう（Ｓ４０５）。ここでは図３に示すように、広告サーバ３０２の機器が一致するためＳ４０６へと進み、広告サーバ３０２へ接続して予め取り決められた手段により広告データを取得する。
【００３９】
クライアント機器２０１は、ここで取得した広告を使用者に提示することができ、Ｓ４０５で該当した機器全てについて広告を取得してから表示することもできる。
【００４０】
このようにして、図３の想定場面において、使用者の周辺に４台の機器が存在するにも関わらす、接続以前に対象機器を１台に絞り込むことができ、広告取得完了までの時間を大幅に短縮することができる。
【００４１】
尚、本実施形態では、Ｓ４０５においては文字列の部分一致での判定するようにされているが、本発明はこれに限定されるものではなく、例えば、変換規則が広告内容をＸＭＬで構造化するものであってもよい。これによると、ＸＭＬの要素の検索等を導入してより複雑な判断を行なうこともでき、さらに確実に絞り込むことも可能となる。
【００４２】
【発明の効果】
以上、説明したように本発明の請求項１〜１０に記載の広告配信システムによれば、広告取得側が全てのデバイスに接続を試みることなく、事前に接続対象となる機器の絞り込みを可能にして、広告取得完了までの時間を大幅に短縮することができるという優れた効果を奏する。
【００４３】
すなわち、本発明によれば、Ｂｌｕｅｔｏｏｔｈ等を用いた通信サービスにアクセスする以前に、対象機器に対応した付加情報を得ることができる通信規格に従った通信装置を搭載した機器同士による広告配信システムにおいて、接続する以前に対象機器を絞り込むことが可能となり、使用者の周囲に存在する全ての機器に接続する必要がなくなるため、広告取得完了までの時間を大幅に短縮することができる。
【図面の簡単な説明】
【図１】本発明の実施形態に係る広告配信システムのサーバ側（広告提供側）機器のブロック図である。
【図２】前記広告配信システムのクライアント側（広告取得側）機器のブロック図である。
【図３】本実施形態における前記広告配信システムが採用された場面説明図である。
【図４】前記広告配信システムおける周辺の機器の検索の手順を示す説明図である。
【符号の説明】
１０１　サーバ機器
１０２　Ｂｌｕｅｔｏｏｔｈモジュール
１０３　Ｂｌｕｅｔｏｏｔｈコントローラ
１０４　デバイス名記憶装置
１０５　デバイス名設定インターフェース
１０６　内部広告提供装置
１０７　外部広告提供装置
２０１　クライアント機器
２０２　Ｂｌｕｅｔｏｏｔｈモジュール
２０３　Ｂｌｕｅｔｏｏｔｈコントローラ
２０４　取得広告内容設定装置
２０５　広告取得装置
【図１】
2004056386.tif 000003
【図２】
2004056386.tif 000004
【図３】
2004056386.tif 000005
【図４】
2004056386.tif 000006